(57)【要約】【課題】ブラケットの形状構造の簡単化を図って、製造コスト削減及び垣根本体同士の連結を容易にして、垣根構築の施工時間をさらに短縮する。【解決手段】支柱には第１ブラケットを予め取付けておき、各垣根本体の両側の下端部付近に切欠きを設ける。下側の垣根本体の両側の上端部に垣根本体から上方に突出する第２ブラケットを、上側の垣根本体の両側の上端部に垣根本体から上方に突出する第３ブラケットをそれぞれ予め取付けておく。下側の垣根本体は、支柱間に落し込んで切欠きに第１ブラケットを係合させるとともに、落し込み終了後に第２ブラケットを支柱にねじで固定して支柱に取付ける。上側の垣根本体は、支柱間に落し込んで切欠きに第２ブラケットを係合させるとともに、落し込み終了後に第３ブラケットを支柱にねじで固定して支柱に取付けるようにした。【選択図】      図２
2004300785.tif 000002
【特許請求の範囲】
【請求項１】
予め組立てられた垣根本体を支柱の間に介在させ、その支柱にブラケットを用いて取付ける形式の合成樹脂製垣根において、
支柱の対向面の下部には上向き係止片を有する第１ブラケットを予め取付けておき、
下側及び上側の各垣根本体の両側の下端部付近には切欠きを設けるとともに、下側の垣根本体の両側の上端部には垣根本体から上方に突出する上向き係止片と支柱に対する固定部とを有する第２ブラケットを、上側の垣根本体の両側の上端部には垣根本体から上方に突出する固定部を有する第３ブラケットをそれぞれ予め取付けておき、
下側の垣根本体は、支柱間に落し込んでその垣根本体の切欠きを前記第１ブラケットの上向き係止片に係合させるとともに、落し込み終了後に第２ブラケットの固定部を支柱にねじ等により固定して支柱に取付け、
上側の垣根本体は、支柱間に落し込んでその垣根本体の切欠きを前記第２ブラケットの上向き係止片に係合させるとともに、落し込み終了後に第３ブラケットの固定部を支柱にねじ等により固定して支柱に取付けるようにしたことを特徴とする合成樹脂製垣根。
【請求項２】
予め組立てられた垣根本体を支柱の正面に当接して、その支柱にブラケットを用いて取付けるとともに、垣根本体の端部同士をブラケットを用いて連結する形式の合成樹脂製垣根において、
支柱の正面の下端部付近、中間位置及び上端部付近には予めそれぞれ第４ブラケット、第５ブラケット及び第６ブラケットを、少なくとも第５ブラケットと第６ブラケットは固定位置を上下移動可能に取付けておき、
下側及び上側の各垣根本体の両側の下端部付近には切欠きを設けるとともに、垣根本体が次順に連結される側の切欠きの付近には、Ｊ字形の第７ブラケットをその係止片を後続の垣根本体側に突出させた状態で予め取付けておき、
一つの垣根本体を第４ブラケットと第５ブラケットにより支柱の下側に取付けた後にこれに隣接して他の下側垣根本体を取付ける際は、後に取付ける垣根本体の切欠きを先に取付けた垣根本体の第７ブラケットの係止片に係止させて、後の垣根本体を他の支柱に第４ブラケットと第５ブラケットにより固定し、これにより隣接された左右の垣根本体の上端部の連結部分に第８ブラケットを鞍座させてその第８ブラケットをねじにより左右の垣根本体の上端部に固定して、下側の各垣根本体を順次連結し、
その後、最初に取付けた下側の垣根本体を固定する第５ブラケットに上側の垣根本体を係止してこれを第６ブラケットにより支柱に固定し、これに隣接して他の上側垣根本体を取付ける際は、後に取付ける上側垣根本体の切欠きを先に取付けた上側垣根本体の第７ブラケットの係止片に係止させて、後の上側垣根本体を他の支柱に第５ブラケットと第６ブラケットにより固定し、これにより隣接された左右の上側垣根本体の上端部の連結部分に第８ブラケットを鞍座させてその第８ブラケットをねじにより左右の上側垣根本体の上端部に固定して、上側の各垣根本体を順次連結することを特徴とする合成樹脂製垣根。
【請求項３】
予め組立てられた垣根本体を支柱の正面に当接して、その支柱にブラケットを用いて取付けるとともに、垣根本体の端部同士をブラケットを用いて連結する形式の合成樹脂製垣根において、
支柱の正面の下端部付近、中間位置及び上端部付近には予めそれぞれ第４ブラケット及び第６ブラケットを、少なくとも第６ブラケットは固定位置を上下移動可能に、又は支柱から抜脱可能に取付けておき、
各垣根本体の両側の下端部付近には切欠きを設けるとともに、垣根本体が次順に連結される側の切欠きの付近には、Ｊ字形の第７ブラケットをその係止片を後続の垣根本体側に突出させた状態で予め取付けておき、
一つの垣根本体を第４ブラケットと第６ブラケットにより支柱に固定した後にこれに隣接して他の垣根本体を取付ける際は、後に取付ける垣根本体の切欠きを先の垣根本体の第７ブラケットの係止片に係止させて、後の垣根本体を他の支柱に第４ブラケットと第６ブラケットにより固定し、これにより隣接された左右の垣根本体の上端部の連結部分に第８ブラケットを鞍座させてその第８ブラケットをねじにより左右の垣根本体の上端部に固定して、各垣根本体を順次連結することを特徴とする合成樹脂製垣根。
【発明の詳細な説明】
【０００１】
【発明の属する技術分野】
本発明は、予め組立てられた垣根本体を現場で支柱に取付ける形式の合成樹脂製垣根における垣根本体の支柱に対する取付構造及び垣根本体同士の連結構造に関する。
【０００２】
【従来の技術】
近年、予め組立てられた垣根本体を現場で支柱に取付ける形式の合成樹脂製垣根が設置されることが多くなった。
この形式の合成樹脂製垣根には、隣り合う支柱の対向面の間に垣根本体を介在させ、何らかの取付手段により垣根本体を支柱に固定する間柱型垣根と、支柱の正面に垣根本体の背面を当接させ、何らかの取付手段により垣根本体を支柱に固定するとともに、隣り合う垣根本体同士を何らかの連結手段により連結する自在柱型垣根とがある。
特許文献１には、このような合成樹脂製垣根のうち間柱型垣根における取付手段が開示されている。また、特許文献２には、間柱型垣根における別の取付手段及び自在柱型垣根における取付手段と連結手段が開示されている。
【０００３】
【特許文献１】
特開平１−２７５８７５号公報
【特許文献２】
特開平１０−１９６１６４号公報
【０００４】
【発明が解決しようとする課題】
特許文献１の取付手段は、支柱の側面にねじを予め固定しておき、そのねじに垣根本体の縦桟に設けた切り込みを係止させて仮止めし、その状態で垣根本体及び支柱の正面側と背面側から取付金具を当接させて、それらの取付金具で垣根本体と支柱を挟み、両側の取付金具と支柱と垣根本体の縦桟にボルトを貫通し、そのボルトにナットをねじ合わせて締め付けることにより、垣根本体を支柱に固定するように構成されている。
従って、１か所の取付位置において、ねじ、前後一対の取付金具、取付金具締結用と垣根本体締結用の３本のボルト、及び取付金具やボルトの隠蔽用の前後のカバー部材を必要とするので、必要部材数が多く、製造コストが高いものとなり、また、取付作業に手間がかかるという問題がある。
【０００５】
特許文献２の発明は、上記の問題に鑑みてなされたものであるが、この文献に開示された間柱型垣根における垣根本体の支柱に対する取付構造は、図６に示すように、次のように構成されている。すなわち、支柱Ｂ１の側面に予め取付部材１０１を図示されていないねじにより固定し、その取付部材１０１には、上向き係止片を有する第１ブラケット２０１をねじ３０１により固定しておき、下側垣根本体Ａ１及び上側垣根本体Ａ２の両縦桟４０１（図６には左の縦桟しか示されていない）には、その下部に下向きの係止片を有する第２ブラケット２０２をねじ３０２により固定するとともに、その縦桟４０１の上部にその垣根本体Ａ１から上方に延びる固定部及び上向き係止片を有する第３ブラケット２０３をねじ３０３により固定しておく。そして、下側垣根本体Ａ１は、左右の支柱Ｂ１の間に落し込んで第２ブラケット２０２を第１ブラケット２１０に係止片同士により係止し、次に、第３ブラケット２０３をその固定部においてねじ３０４により支柱Ｂに固定して、下側垣根本体Ａ１を支柱Ｂに固定する。続いて、上側垣根本体Ａ２を同様に左右の支柱Ｂ１の間に落し込んで第２ブラケット２０２を下側垣根本体Ａ１の第３ブラケット３０４に係止片同士により係止し、その上側垣根本体Ａ２の第３ブラケット２０３をその固定部においてねじ３０４により支柱Ｂ１に固定する構造とされている。
【０００６】
しかしながら、この間柱型垣根の取付構造の場合は、各垣根本体Ａ１，Ａ２の第２ブラケット２０２と第３ブラケット２０３は共通の部品を用いてはいるものの、形状が類似するブラケットが３種類（２０１，２０２，２０３）もあるため、部品点数削減効果は半端であり、また、容易に形状識別ができないため、取付位置を取り違える恐れがあり、第３ブラケット２０３に至っては各垣根本体Ａ１，Ａ２と支柱Ｂ１の両側にねじ止めする必要があるため、現場での取付作業の手間削減効果についても更なる向上が望まれている。
【０００７】
特許文献２に開示された自在柱型垣根における垣根本体の支柱に対する取付構造及び垣根本体同士の連結構造は、図７及び図８に示す通りである。すなわち、垣根本体の長さの範囲内で任意の間隔を持って立設された支柱Ｂ２には、正面及び上方に開口する凹溝５０１が設けられ、その凹溝の下部と中間位置には、予め第４ブラケット２０４と第５ブラケット２０５が、それぞれこれらに貫通したねじ３０５，３０６を凹溝５０１に摺動自在に挿入されたねじ受け５０２にねじ込んで固定してあり、第４ブラケット２０４に左下側垣根本体Ａ１１を落し込んで抱持させ、第５ブラケット２０５を下方に移動して、第５ブラケット２０５に設けてある垂下係止片２０５ａと支柱Ｂ２の正面との間に左下側の垣根本体Ａ１１の上端部を抱持させ、その状態でねじ３０６を本締めして、第５ブラケット２０５と左下側垣根本体Ａ１１とを支柱Ｂ２に固定する。
【０００８】
続いて、図７の左下側垣根本体Ａ１１の右隣りに同一構成の下側垣根本体Ａ１２を用意し、これを同様の方法で右側の支柱（不図示）に固定するが、その場合に、左側の垣根本体Ａ１１の右側縦桟４０１の下端部には、図６における第１ブラケット２０１と同じ上向きの係止片を有する第１ブラケット２０１がねじ３０１により予め固定してあり、また、右下側垣根本体Ａ１２の左側縦桟４０１の下端部と上端部に、それぞれ図６における第２ブラケット２０２及び第３ブラケット２０３と共通の第２ブラケット２０２及び第３ブラケット２０３が同様に固定してあって、右下側の垣根本体Ａ１２を取付ける際は、これを落し込んで第１ブラケット２０１と第２ブラケット２０２をその係止片同士で係止した状態で、右下側の垣根本体Ａ１２の右側の支柱（不図示）に上述のようにして固定する。
【０００９】
次に、図７の左上側の垣根本体Ａ２１を用意し、その下端部を支柱中間位置の第５ブラケット２０５の水平な受け板２０５ｂに載せるとともに、起立係止片２０５ｃと支柱Ｂ２との間に抱持させた状態で、支柱Ｂ２の上端面にＬ字形の第６ブラケット２０６をねじ３０７により固定して、その第６ブラケットの下向き係止片と支柱Ｂ２により左上側の垣根本体Ａ２１の上端部を抱持して固定し、さらにその左上側の垣根本体Ａ２１の左側の縦桟４０１を先に取付けた下右側の垣根本体Ａ１２の第３ブラケット２０３の固定部に当接させ、その固定部からねじ３０４をその縦桟４０１にねじ込んで固定する。
【００１０】
さらに、図７の右上側垣根本体Ａ２２を取付ける際は、図８に示すように、その垣根本体Ａ２２の第２ブラケット２０２を右下側垣根本体Ａ１２に取付けてある第３ブラケット２０３に係止片同士で係合させて、一つブラケット２０３により隣り合う３個の垣根本体Ａ１２，Ａ２１，Ａ２２を連結する。図７における２０７は、左右に隣り合う上側の垣根本体Ａ２１，Ａ２２の上端部に鞍座され、ねじ３０８により固定されて、両垣根本体Ａ２１，Ａ２２を連結する第７ブラケットである。
【００１１】
この自在柱型垣根の場合は、垣根本体に取付けられるブラケット２０１，２０２，２０３は、それぞれ縦桟４０１に対する取付位置が異なり、かつ、取付位置によって形状が僅かに異なる３種類あるので、間柱型垣根の場合と同様に取付け位置を錯誤する恐れがあり、また、ブラケットの取付及び垣根本体同士の連結作業に手間が掛かるという問題がある。
【００１２】
以上のように、上記先行技術はいずれも部品点数が多く、支柱に対する取付作業及び垣根本体同士の連結作業に手間がかかるため施工に時間がかかり、必要な部品の種類と点数が多いので製造コスト上昇の原因になるとともに、施工時の管理及び選択も容易でないという問題があった。
【００１３】
本発明は、上記の点に鑑みてなされたものであり、その課題は、ブラケットの形状及び構造の簡単化を図って、製造コストを削減し、とくに垣根本体同士の連結を容易にして、垣根構築の施工時間をさらに短縮することにある。
【００１４】
【課題を解決するための手段】
上記課題を解決するため、請求項１の発明は、予め組立てられた垣根本体を支柱の間に介在させ、その支柱にブラケットを用いて取付ける形式の合成樹脂製垣根において、（ａ）支柱の対向面の下部には上向き係止片を有する第１ブラケットを予め取付けておき、（ｂ）下側及び上側の各垣根本体の両側の下端部付近には切欠きを設けるとともに、下側の垣根本体の両側の上端部には垣根本体から上方に突出する上向き係止片と支柱に対する固定部とを有する第２ブラケットを、上側の垣根本体の両側の上端部には垣根本体から上方に突出する固定部を有する第３ブラケットをそれぞれ予め取付けておき、（ｃ）下側の垣根本体は、支柱間に落し込んでその垣根本体の切欠きを前記第１ブラケットの上向き係止片に係合させるとともに、落し込み終了後に第２ブラケットの固定部を支柱にねじ等により固定して支柱に取付け、（ｄ）上側の垣根本体は、支柱間に落し込んでその垣根本体の切欠きを前記第２ブラケットの上向き係止片に係合させるとともに、落し込み終了後に第３ブラケットの固定部を支柱にねじ等により固定して支柱に取付けるようにしたことを特徴としている。
上構成により、支柱の対向面の第１ブラケットは、支柱間に落し込まれる垣根本体の切欠きを係合してその垣根本体の下部を支柱に固定する。その垣根本体に取付けられている第２ブラケットは固定部においてねじにより支柱に固定することができる。また、第２ブラケットは続いて支柱間に落し込まれる垣根本体の切欠きを係合してその垣根本体の下部を支柱に固定する。最後に、第３ブラケットはその固定部において支柱にねじで支柱に固定することができる。
【００１５】
請求項２の発明は、予め組立てられた垣根本体を支柱の正面に当接して、その支柱にブラケットを用いて取付けるとともに、垣根本体の端部同士をブラケットを用いて連結する形式の合成樹脂製垣根において、（ａ）支柱の正面の下端部付近、中間位置及び上端部付近には予めそれぞれ第４ブラケット、第５ブラケット及び第６ブラケットを、少なくとも第５ブラケットと第６ブラケットは固定位置を上下移動可能に取付けておき、（ｂ）下側及び上側の各垣根本体の両側の下端部付近には切欠きを設けるとともに、垣根本体が次順に連結される側の切欠きの付近には、Ｊ字形の第７ブラケットをその係止片を後続の垣根本体側に突出させた状態で予め取付けておき、（ｃ）一つの垣根本体を第４ブラケットと第５ブラケットにより支柱の下側に取付けた後にこれに隣接して他の下側垣根本体を取付ける際は、後に取付ける垣根本体の切欠きを先に取付けた垣根本体の第７ブラケットの係止片に係止させて、後の垣根本体を他の支柱に第４ブラケットと第５ブラケットにより固定し、これにより隣接された左右の垣根本体の上端部の連結部分に第８ブラケットを鞍座させてその第８ブラケットをねじにより左右の垣根本体の上端部に固定して、下側の各垣根本体を順次連結し、（ｄ）その後、最初に取付けた下側の垣根本体を固定する第５ブラケットに上側の垣根本体を係止してこれを第６ブラケットにより支柱に固定し、これに隣接して他の上側垣根本体を取付ける際は、後に取付ける上側垣根本体の切欠きをに先に取付けた上側垣根本体の第７ブラケットの係止片に係止させて、後の上側垣根本体を他の支柱に第５ブラケットと第６ブラケットにより固定し、これにより隣接された左右の上側垣根本体の上端部の連結部分に第８ブラケットを鞍座させてその第８ブラケットをねじにより左右の上側垣根本体の上端部に固定して、上側の各垣根本体を順次連結することを特徴としている。
上記構成により、下側の垣根本体を一つの支柱に第４ブラケットと第５ブラケットを用いて取付けた後に隣接する支柱に他の下側の垣根本体を取付ける際は、後の下側垣根本体の切欠きを先の下側垣根本体の第７ブラケットの係止片に係合させた後に第４ブラケットと第５ブラケットを用いて後の下側垣根本体を固定し、隣り合う下側垣根本体の連結部分の上端部に第８ブラケットを載せてねじにより固定して両下側垣根本体を連結する。上側の垣根本体を前記一つの支柱に取付けられた下側垣根本体を固定する第５ブラケットに抱持させ、第５ブラケットと第６ブラケットにより上側の垣根本体を固定した後に前記隣接する支柱に他の上側垣根本体を取付ける際は、後の上側垣根本体の切欠きを先の上側垣根本体の第７ブラケットの係止片に係合させた後に第５ブラケットと第６ブラケットを用いて後の上側垣根本体を固定し、隣り合う上側垣根本体の連結部分の上端部に第８ブラケットを載せてねじにより固定して、両上側垣根本体を連結することができる。
【００１６】
さらに、請求項３の発明は、予め組立てられた垣根本体を支柱の正面に当接して、その支柱にブラケットを用いて取付けるとともに、垣根本体の端部同士をブラケットを用いて連結する形式の合成樹脂製垣根において、（ａ）支柱の正面の下端部付近、中間位置及び上端部付近には予めそれぞれ第４ブラケット及び第６ブラケットを、少なくとも第６ブラケットは固定位置を上下移動可能に又は支柱から抜脱可能に取付けておき、（ｂ）各垣根本体の両側の下端部付近には切欠きを設けるとともに、垣根本体が順次連結される側の切欠きの付近には、Ｊ字形の第７ブラケットをその係止片を後続の垣根本体側に突出させた状態で予め取付けておき、（ｃ）一つの垣根本体を第４ブラケットと第６ブラケットにより支柱に固定した後にこれに隣接して他の垣根本体を取付ける際は、後に取付ける垣根本体の切欠きを先の垣根本体の第７ブラケットの係止片に係止させて、後の垣根本体を他の支柱に第４ブラケットと第６ブラケットにより固定し、これにより隣接された左右の垣根本体の上端部の連結部分に第８ブラケットを鞍座させてその第８ブラケットをねじにより左右の垣根本体の上端部に固定して、各垣根本体を順次連結することを特徴としている。
上記構成により、一つの垣根本体を一つの支柱に第４ブラケットと第６ブラケットを用いて先に取付けた後に隣接する支柱に他の垣根本体を取付ける際は、後の垣根本体の切欠きを先の垣根本体の第７ブラケットの係止片に係合させた後に第４ブラケットと第６ブラケットを用いて後の垣根本体を固定し、隣り合う垣根本体の連結部分の上端部に第８ブラケットを載せてねじにより固定して両垣根本体を連結する。以後同じ要領による取付作業及び連結作業を繰り返すことにより左右方向に連続する垣根本体を構築することができる。
【００１７】
【発明の実施の形態】
次に、本発明の実施の形態について、図面を参照しながら説明する。
図１は合成樹脂製垣根の概略的構成を示すものであり、（ａ）は間柱型垣根の正面図、（ｂ）は同平面図、（ｃ）は自在柱型垣根の正面図、（ｄ）は同じく平面図である。図２は間柱型垣根における垣根本体の支柱に対する取付構造を示す一部破断正面図、図３は自在柱型垣根における垣根本体の支柱に対する取付構造及び垣根本体同士の連結構造を示す一部の正面図、図４は同じく自在柱型垣根に用いられるブラケットの種類及び取付構造を示す斜視図、図５は自在柱型垣根における垣根本体同士を上端部において連結するために用いられる第８ブラケットの斜視図である。
【００１８】
図１〜図５における符号Ａ１１，Ａ１２；Ａ２１，Ａ２２は工場などで予め組立てられた垣根本体である。本発明において、垣根本体とは、一例として、次のようなものを含む。（ａ）左右両側の縦桟の間に複数本の竹の外観を有する横材を掛け渡し、その横材に複数本の立て子を結合して、方形のすき目を形成した形態の四つ目垣用垣根本体。（ｂ）左右の縦桟の間に横桟を掛け渡して結合してなる枠体に、縦竹を横に並べた外観を有する合成樹脂成形板を取付け、その合成樹脂成形板の正面側／又は正面側と背面側に押え竹を取付けた形態の建仁寺垣用垣根本体。（ｃ）左右の縦桟の上下に横桟を結合してなる矩形の枠体に、竹と同様の外観を有する横材を縦に並べ、各横材を縦桟に固定し、その横材の正面側と背面側に立て子を配置し、その立て子の上下端部を横桟に結合した形態の御簾垣用垣根本体。
【００１９】
合成樹脂製垣根には、図１（ａ）及び（ｂ）に示すように垣根本体Ａ１１，Ａ１２；Ａ２１，Ａ２２を施工現場で隣り合う支柱Ｂ１１，Ｂ１２の対向面の間に介在させ、所定の取付構造（図１には示されていない。）を用いて固定される間柱型垣根Ｆ１と、図１（ｃ）及び（ｄ）に示すように垣根本体Ａを各支柱Ｂ２１，Ｂ２２の正面に当接させ、所定の取付構造（図１には示されていない。）を用いて固定するとともに、隣接する垣根本体同士Ａ１１，Ａ２１；Ａ２１，Ａ２２を所定の連結構造（図１には示されていない。）を用いて連結して固定される自在柱型垣根Ｆ２とがある。
なお、垣根には、図１に示すように、垣根本体Ａを縦方向及び横方向に連続して設ける場合と、図示されていないが、横方向にのみ連続して設ける場合があるが、本発明は、前者の場合に好適なものである。
【００２０】
図２は、図１（ａ）の間柱型垣根Ｆ１における垣根本体Ａ１１，Ａ１２；Ａ２１，Ａ２２の支柱Ｂ１１，Ｂ１２に対する本発明による取付構造を示している。
支柱Ｂ１１，Ｂ１２の対向面の下端部付近には、上向き係止片を有する第１ブラケット１１がねじ２１により予め取付けられている。このブラケット１１は、後述される他のブラケットと同様に所要の強度を有する金属板で作られている。
また、各下側垣根本体Ａ１１，Ａ１２には、両側の縦桟３１の外壁３２の下端部に切欠き３３が形成され、また、両側の縦桟３１の外壁３２の上端部に第２ブラケット１２がねじ２２により取付けられている。この第２ブラケット１２は、その下端部にねじ２２により縦桟３１の外壁３２に対して取付けられる下固定部１２ａと、その下固定部から縦桟の外側面までコ字形に屈曲されている上固定部１２ｂと、その上固定部から下固定部の上方延長面を越える位置まで上向きに延出する係止片１２ｃとを有している。係止片１２ｃは、第１ブラケット１１の係止片と同一の形状を有する。
【００２１】
各上側垣根本体Ａ２１，Ａ２２にも、両側の縦桟３１の外壁３２を各下側垣根本体Ａ１１，Ａ１２の場合と同じ位置において下端部から適当な高さまで切除して切欠き３３が形成され、また、両側の縦桟３１の上端部の側面に、第３ブラケット１３がねじ２３により予め取付けられている。この第３ブラケット１３は、上面部１３ａとその上面部から垂下する取付け部１３ｂと、上面部の一端から縦桟の側面に沿って起立する固定部１３ｃとを有しており、取付け部１３ｂを縦桟の外壁３２にねじ止め（２３）して取付けられている。上面部１３ａは、縦酸３１の上端面を覆うキャップの役目も果たしている。
【００２２】
繰り返しになるが、支柱Ｂ１１，Ｂ１２には、その対向面に第１ブラケット１１が予め取付けられるだけであり、各垣根本体Ａにはその両側の縦桟３１の下部に切欠き３３が形成され、また、下側の垣根本体Ａ１１，Ａ１２にはその上部両側に第２ブラケット１２が上方に突出させて取付けられ、また、上側垣根本体Ａ２１，Ａ２２にはその上部両側に第３ブラケット１３が取付けられた構成とされている。すなわち、一つの垣根本体に対して、特許文献２の先行技術では合計１０個のブラケットが用いられるが、本発明においては、合計６個だけのブラケットが用いられる。また、各ブラケットはそれぞれ混同することが有り得ない特有の形状を有している。
【００２３】
そして、このような取付構造を用いて間柱型垣根Ｆ１を構築する際は、両側の支柱Ｂ１１，Ｂ１２間に下側垣根本体Ａ１１を落し込むと、第１ブラケット１１の係止片が両側の切欠き３３に挿入されるとともに、落し込み終了時には、それらの係止片が両側の縦桟３１の外壁３２の内面に係合されて、縦桟３１の下部が支柱Ｂ１１，Ｂ１２側に引き込まれる状態で固定される。
【００２４】
この状態で、第２ブラケット１２はその上固定部１２ｂが支柱の側面に当接されているので、次にその上固定部からねじ２４を支柱Ｂ１１，Ｂ１２にねじ込むことにより、下側垣根本体Ａ１１の上部が第２ブラケット１２を介して固定される。
【００２５】
次に、支柱Ｂ１１，Ｂ１２間に上側の垣根本体Ａ２１を落し込むと、第２ブラケット１２の係止片１２ｃが両側の切欠き３３に挿入されるとともに、落し込み終了時には、それらの係止片１２ｃが両側の縦桟の外壁３２の内面に係合されて、縦桟の下部が支柱側に引き込まれる状態で支柱Ｂ１１，Ｂ１２に固定される。
引き続き、上側の垣根本体Ａ２１に取付けてある第３ブラケット１３の固定部１３ｃからねじ２５を支柱Ｂ１１，Ｂ１２にねじ込むことにより、上側垣根本体Ａ２１の上部が第３ブラケット１３を介して固定される。
【００２６】
支柱Ｂ１２とその右側に存在する支柱の間、並びにその他の隣り合う支柱間においても、上述したと同じ取付作業を、下側垣根本体と上側垣根本体Ａ１２，Ａ２；Ａ１３，Ａ２３（不図示）…について順次反復して行うことにより、間柱型垣根Ｆ１が完成する。
【００２７】
上述したように、一つの垣根本体に関して支柱及び垣根本体に取付けられるブラケットは、その種類も数も少なく、それぞれが特有の形状を有するので、識別可能であって混同される恐れはなく、取付位置を間違う恐れもない。従って、垣根本体の支柱に対する取付作業を敏速に行うことができるので、施工時間の飛躍的な短縮が可能である。
【００２８】
次に、図１（ｃ）の自在柱式垣根Ｆ２の場合の垣根本体Ａ１１，Ａ１２；Ａ２１，Ａ２２の支柱Ｂ２１，Ｂ２２に対する取付構造及び垣根本体同士の連結構造について、図３〜図５に基づいて説明する。支柱Ｂ２１，Ｂ２２における取付構造はいずれも同一であるので、図３，４には一つの支柱Ｂ２１について代表的に説明する。
【００２９】
支柱Ｂ２１，Ｂ２２は、垣根本体の長さの範囲内で任意の間隔を持って立設してあり、図４に示すように、支柱Ｂ２１には正面及び上方に開口する凹溝４１の下端部付近と中間位置と上端部付近に、第４ブラケット１４と、第５ブラケット１５と、第６ブラケット１６が、それぞれに貫通したねじ２６を、凹溝４１に摺動自在に嵌合された共通部材であるねじ受け４２にねじ込むことにより予め取付けてある。第４ブラケット１４と第６ブラケット１６は、変形Ｚ字形に形成された同一部品を向きを変えて使用することもできる。
【００３０】
図１（ｃ）の左下側の垣根本体Ａ１１を取付ける際は、第５ブラケット１５のねじ２６を少し緩めて第５ブラケット１５を邪魔にならない位置まで上方に移動しておき、垣根本体Ａ１１をその一端部付近において支柱Ｂ２１の正面側に接近させ、各横桟３４，３４の背面を支柱に当接した状態でその垣根本体Ａ１１を下方に摺動させて、図３に示すように下位の横桟３４を、第４ブラケット１４に抱持させ、次に、第５ブラケット１５を再び下方に移動して、上位の横桟３４を抱持した状態でねじ２６を本締めして第５ブラケット１５を固定するとともに、下側の垣根本体Ａ１１をその支柱Ｂ２１に固定する。
【００３１】
第５ブラケット１５は、図４に示すように、横桟３４の幅とほぼ等しい幅の受け板１５ａの正面側端部に一体に形成された垂下係止片１５ｂと起立係止片１５ｃとを有し、また、受け板１５ａの背面側端部から起立する取付片１５ｄを有している。そして、下方に移動されて受け板１５ａの下面が垣根本体Ａ１１の上位の横桟３４に当接した時にねじ２６とねじ受け４２により固定されて、垂下係止片１５ｂと支柱Ｂ２１との間に下側の垣根本体Ａ１１の上位の横桟３４を固定するようになっている。
【００３２】
今、図１（ｃ）及び図３の左側の支柱Ｂ２１の下半部に下側の垣根本体Ａ１１を取付けたことに続いて、同図の右側の支柱Ｂ２２の下半部にも下側の垣根本体Ａ１２を同じ要領で取付ける。この場合、各垣根本体Ａ（Ａ１１〜Ａ２２，…）の左右両側の縦桟３１の外壁３２は、その下端部から適当な高さまで切除されて、図２における縦桟の切欠き３３と同様の切欠き３３が形成されている。そして、左側の垣根本体Ａ１１の右側の縦桟の外壁３２にはＪ字形の第７ブラケット（係止具）１７がねじ２７により取付けられ、そのＬ字部分からなる係止片が当該左側の垣根本体Ａ１２の右側の縦桟３１の切欠き３３から右方向外側に突出されている。こうして、右下側垣根本体Ａ１２を後に取付ける際に、第７ブラケット１７の係止片を右下側垣根本体Ａ１２の左側の縦桟の切欠き３３から中に挿入した後、右下側垣根本体Ａ１２を落し込むと、その外壁３２の下端部が第７ブラケット１７の係止片に係止される。
この右下側垣根本体Ａ１２も右側の支柱Ｂ２２に対して、前述された左下側垣根本体Ａ１１の左側支柱Ｂ２１に対する取付け方法と同じ方法により固定された時は、左右の下側垣根本体Ａ１１，Ａ１２の隣接する縦桟３１は全長に渡って密着し、かつ、両縦桟の上端面が面一になる。
【００３３】
その面一になった両縦桟の上端面に、図５にも示されるような第８ブラケット１８が跨がるように鞍座され、ねじ２８により固定されている。第８ブラケット１８は、矩形の天板１８ａと、その天板の前後両端部から平行に垂下する規制板１８ｂとを一体に有し、規制板にはねじ２８を貫通するための孔１８ｃが左右２個ずつ設けられている。この場合、天板１８ａは、第５ブラケット１５の受け板１５ａの板厚と等しい板厚を有している。
【００３４】
こうして、第８ブラケット１８は、左右隣接して取付けられる下側垣根本体Ａ１１，Ａ１２の上端部連結部分に前後の規制板１８ｂの間に隣接する縦桟３１の上端部が天板１８ａの下面に密着するように嵌合し、各規制板１８ｂの各貫通孔１９ｃからねじ２８をそれぞれの縦桟３１にねじ込むことにより固定されて、左右の下側垣根本体Ａ１１，Ａ１２を連結している。天板１８ａは、縦酸３１の上端面を覆うキャップの役目も果たしている。
【００３５】
すべての隣接する支柱間に下側の垣根本体Ａ１１，Ａ１２…を取付けたら、続いて、図１（ｃ）の左側の支柱Ｂ２１の上半部に上側の垣根本体Ａ２１を、次のようにして取付ける。すなわち、まず、ねじ２６を緩めて第６ブラケット１６及びねじ受け４２を上方に抜き出して保管する。次に、上側の垣根本体Ａ２１の枠体を支柱Ｂ２１の正面に当接した状態で下方に摺動して、下側の横桟３４を第５ブラケット１５の受け板１５ａの上面に密着させるとともに、第５ブラケット１５の起立係止片１５ｃと取付け片１５ｄの間に抱持させる。また、上側の垣根本体Ａ２１の右側の縦桟３１の下端部を先に下側の垣根本体Ａ１１，Ａ１２の連結部分に取付けた第８ブラケット１８の天板１８ａの上面の左側半分に載せる。第５ブラケット１５の受け板１５ａの板厚と第８ブラケット１８の天板１８ａの板厚は等しく設定されているので、下側垣根本体Ａ１１の上側横桟３４と上側垣根本体Ａ２１の下側横桟３４との間には全長に渡って一様の隙間５０（図３）が形成される。従って、美観が向上し、かつ、上下の垣根本体Ａ１１，２１の安定性が得られる。
この状態で、先に抜脱して保管した第６ブラケット１６を取付けて、そのブラケットと支柱Ｂ２１の間に左上側垣根本体Ａ２１の上位横桟３４を抱持して固定する。
【００３６】
続いて、図１（ｃ）の右側の支柱Ｂ２２の上半部にも次の上側垣根本体Ａ２２を、左上側垣根本体Ａ２１を左支柱Ｂ２１に対する取付け方法と同じ方法により取付けるが、この時は右上側垣根本体Ａ２２を落とし込む際に、その左側の縦桟３１の切欠き３３に、左上側垣根本体Ａ２１に取付けてある第７ブラケット１７の上向き係止片が挿入されて、縦桟３１の外壁の下端部を係止する。従って、左上側垣根本体Ａ２１と右上側垣根本体Ａ２２はその隣接する縦桟が引き合う状態で係合される。また、右上側垣根本体Ａ２２の左縦桟の下端部は先に装着された第８ブラケット１８の上面の右側半分に載せられるので、右下側垣根本体Ａ１２と右上側垣根本体Ａ２２の間にも、同様に全長に渡って一様の隙間５０が形成されるとともに、両上側垣根本体Ａ２１，２２の隣接する縦桟の上端面が面一になり、その上端面に第８ブラケット１８が下側の第８ブラケット１８と同じ要領で取付けられて、上側垣根本体Ａ２１，２２を連結している。
【００３７】
すべての隣接する支柱Ｂ２１，Ｂ２２…間にすべての上側垣根本体Ａ２１，Ａ２２…を取付けることにより、図１（ｃ）に一部が示されている自在柱型垣根Ｆ２が完成する。
【００３８】
上述のように、本発明による自在柱型垣根においては、垣根本体の各支柱に対する取付けには、好ましくは共通の第４ブラケット１４と第５ブラケット１５及び第６ブラケット１６が用いられるのみであって、部品の種類が少なく、また、垣根本体同士の連結には、各垣根本体の両縦桟に同様の切除加工により切欠きが形成され、その一方の切欠きの至近位置に第７ブラケット１７がすべて同じ態様で予め取付けられるのみであるから、垣根本体に対する加工及び部品取付けは簡単であり、上記先行技術の場合と異なり、ブラケットの取り違いや取付け位置の錯誤をする恐れは完全に排除されている。従って、垣根本体の支柱に対する取付け作業及び垣根本体同士の連結作業を簡単迅速に行うことができ、垣根の施工時間を大幅に短縮することが可能である。
【００３９】
上述された垣根本体の取付構造及び連結構造は、垣根本体を左右方向にのみに連続するように設置する場合にも、採用可能である。間柱型垣根の場合は、図２における各支柱間には一つの垣根本体が嵌装され、第２ブラケット１２を用いずに、第１ブラケットと第３ブラケットのみを用いることとなる。また、自在柱型垣根の場合は、図３における各支柱には一つの垣根本体が、第５ブラケット１５を用いずに、第４ブラケットと第６ブラケット１６のみで取付けられ、隣接する垣根本体の端部同士は、下端部の一つの第７ブラケット１７と上端部の一つの第８ブラケット１８を用いることとなる。この形態の垣根においても、最小限のブラケットの数と取付手間により垣根本体の取付及び相互連結が可能である。
【００４０】
【発明の効果】
請求項１の発明によれば、一つの垣根本体に関して支柱及び垣根本体に取付けられるブラケットはそれぞれ種類も点数も少なく、特有の形状を有するので、識別可能であって彼此混同される恐れはなく、取付位置を間違う恐れもないから、垣根本体の支柱に対する取付作業に手間がかからず、施工時間の飛躍的な短縮が可能である。
【００４１】
請求項２の発明によれば、垣根本体の各支柱に対する取付けには、第４ブラケット、第５ブラケット及び第６ブラケットが用いられるのみであって、部品の種類が少なく、また、垣根本体同士の連結には、各垣根本体の両縦桟に切欠きが形成され、その一方の切欠きの至近位置に第７ブラケットがすべて同じ態様で予め取付けられるのみであるから、垣根本体に対する加工及び部品取付けは簡単であり、ブラケットの取り違いや取付位置を錯誤する恐れは完全に排除されているので、垣根本体の支柱に対する取付作業及び垣根本体同士の連結作業を簡単迅速に行うことができ、垣根の施工時間を大幅に短縮することが可能である。
【００４２】
さらに請求項３の発明によれば、左右方向にのみ連続する垣根を構築する際は、最小限のブラケットの数と取付手間により垣根本体の取付及び相互連結が可能である。
【図面の簡単な説明】
【図１】合成樹脂垣根の概略的構成を示すものであり、（ａ）は間柱型垣根の正面図、（ｂ）は同平面図、（ｃ）は自在柱型垣根の正面図、（ｄ）は同じく平面図である。
【図２】間柱型垣根における垣根本体の支柱に対する取付構造を示す一部破断正面図。
【図３】自在柱型垣根における垣根本体の支柱に対する取付構造及び垣根本体同士の連結構造を示す一部の正面図。
【図４】自在柱型垣根に用いられる３種類のブラケット及びそれによる取付構造を示す斜視図。
【図５】自在柱型垣根における垣根本体同士を上端部において連結するために用いられる第８ブラケットの斜視図。
【図６】従来技術による間柱形垣根における垣根本体の取付構造を示す要部の断面図。
【図７】従来技術による自在柱形垣根における垣根本体の取付構造及び連結構造の一部を示す要部の斜視図。
【図８】同じく連結構造の詳細を示す要部の断面図。
【符号の説明】
Ｂ１１，Ｂ１２    間柱型垣根の支柱
Ｂ２１，Ｂ２２    自在柱型垣根の支柱
Ａ１１，Ａ１２    下側の垣根本体
Ａ２１，Ａ２２    上側の垣根本体
１１      第１ブラケット
１２      第２ブラケット
１３      第３ブラケット
１４      第４ブラケット
１５      第５ブラケット
１６      第６ブラケット
１７      第７ブラケット
１８      第８ブラケット
２１〜２８    ねじ
３１      縦棧
３２      外壁
３３      切欠き
３４      横棧
【図１】
2004300785.tif 000003
【図２】
2004300785.tif 000004
【図３】
2004300785.tif 000005
【図４】
2004300785.tif 000006
【図５】
2004300785.tif 000007
【図６】
2004300785.tif 000008
【図７】
2004300785.tif 000009
【図８】
2004300785.tif 000010